(57)【特許請求の範囲】
【請求項１】
収納ケースがカセット筐体の一側部に台形状の膨出部を有するテープカセット用の収納ケースであって、下ハーフと上ハーフとで合体式に構成されるケースの一側面にカセット挿入口を有し、上記カセット挿入口の一側部で当該カセット挿入口から奥行き方向に上記テープカセットの膨出部が挿入される凹面状のガイド溝が上記下ハーフと上ハーフの内面に形成され、上記上ハーフ上面にカセット取り出しのための指挿入用開口部を設け、上記下ハーフ底面にカセットのリールハブ孔と係合される一対のリール回り止め片を有するリール回り止め部材が取り付けられるカセット収納ケースにおいて、
上記下ハーフ及び上ハーフはそのハーフ面を少なくとも上記ガイド溝以外の奥行き方向から上記カセット挿入口に亘ってフレーム状の肉厚部とし、この肉厚部以外の上記ハーフ面部分を肉薄部に形成し、
上記上ハーフの上記指挿入用開口部が肉薄部に形成され、上記指挿入用開口部の裏面側周囲に肉薄部の補強リブを形成し、
上記下ハーフの肉薄部中央部分に上記リール回り止め部材の周囲を位置決めする奥行き方向に長い長円状の案内リブを一体形成し、且つ当該案内リブで囲まれる肉薄部上に複数のカシメピンを形成したことを特徴とするカセット収納ケース。
【請求項２】
請求項１記載のカセット収納ケースにおいて、
上記フレーム状の肉厚部は上記下ハーフ及び上ハーフの補強リブを兼ねていることを特徴とするカセット収納ケース。
【請求項３】
請求項１記載のカセット収納ケースにおいて、
上記上ハーフのフレーム状の肉厚部は、上記ガイド溝と対向側の肉厚部の奥行き長さを上記カセット挿入口側のリール回り止め片と平行する位置にほぼ達する短い肉厚部に形成したことを特徴とするカセット収納ケース。
【請求項４】
請求項３記載のカセット収納ケースにおいて、
上記短い肉厚部の延長上である上記上ハーフの最奥部に傾斜面を有する短いカセット受け部を設けたことを特徴とするカセット収納ケース。
【発明の詳細な説明】
【０００１】
【発明の属する技術分野】
本発明は、例えばオーディオ用のコンパクトカセット等のテープカセットを収納するのに好適なカセット収納ケースに関し、特に収納ケースの一側部に形成したカセット挿入口からカセットを長手方向にスライド式に出し入れすることのできるカセット収納ケースに係わるものである。
【０００２】
【従来の技術】
従来、この種、収納ケースの一側部に形成したカセット挿入口からコンパクトカセットを長手方向に出し入れすることのできるカセット収納ケースとしては、例えば実開昭５７−２０１６７５号公報、実開昭５８−１４８７７４号公報、実開平４−１１８３８８号公報及び特開平４−３１１４８３号公報に記載されたものがある。
【０００３】
ここで、従来のカセット収納ケースの一例を実開平４−１１８３８８号公報に記載されたものを図１３〜図１６を参照して説明する。
【０００４】
図１３はカセット収納ケースの上面板を破断して内部が見えるようにした斜視図、図１４はコンパクトカセットの斜視図、図１５は収納状態のカセットを仮想線で示したカセット収納ケースの平面図、図１６はカセット収納状態の収納ケースをカセット挿入口から見た側面図である。
【０００５】
まず、図１４においてコンパクトカセットの構成について説明する。
コンパクトカセット３０はカセット筐体内に図示しない一対のテープリールが回転可能に収容され、カセット筐体の上下面にそれぞれ形成した一対の開口部３１ａ，３１ｂにリールハブ孔３２ａ，３２ｂが一致している。また、コンパクトカセット３０の一側部にはテープのマウスを構成する台形状の膨出部３３を有すると共に、この膨出部３３側のカセット筐体の両側面にガイド突起（通称、耳部ともいう）３４を設けている。
【０００６】
さて、カセット収納ケースはプラスチック成形品からなり一側面にカセット挿入口３５を有し、その他は底面板３６ａ、上面板３６ｂ、左右側面板３６ｃ，３６ｄ及び背面板３６ｅからなる偏平箱型形状から構成され、カセット挿入口３５からコンパクトカセット３０が長手方向にスライド式に出し入れされる。カセット挿入口３５の底面板３６ａ及び上面板３６ｂ部分にはそれぞれ切欠部３５ａ，３５ｂが形成され、カセット収納ケース内に収納されたコンパクトカセット３０を取り出す際に、図１１に示すように切欠部３５ａ，３５ｂから露出しているカセット端部を摘んで引き出せるようになっている。
【０００７】
底面板３６ａにはカセット挿入口３５のほぼ中央部で奥行き方向に間隔を隔てて弾性作用により起伏可能の２つのリブ状のリール回り止め片３７ａ，３７ｂが一体成形されている。このリール回り止め片３７ａ，３７ｂは奥行き方向に対して直交する向きにされ、リール回り止め片３７ａ，３７ｂの間隔はコンパクトカセット３０のリールハブ孔３２ａ，３２ｂの間隔に対応している。
【０００８】
また、底面板３６ａにはリール回り止め片３７ａ，３７ｂを左右から挟む位置で奥行き方向に受けガイド３８ａ，３８ｂが肉厚状に突出形成されている。この受けガイド３８ａ，３８ｂと対向するように上面板３６ｂ部分にも受けガイド３９ａ，３９ｂが肉厚状に突出形成されている（図１６参照）。
【０００９】
さらに、底面板３６ａ及び上面板３６ｂのカセット挿入口３５近くで、受けガイド３８ａ，３８ｂ及び３９ａ，３９ｂの外側部分にストッパ片４０ａ，４０ｂ及び４１ａ，４１ｂが上下に対向し合って配置されている。
【００１０】
このように構成されたカセット収納ケースはカセット挿入口３５からコンパクトカセット３０をガイド突起３３側から挿入すると、リール回り止め片３７ａ，３７ｂがカセットによって弾性変形して押し倒されるが、カセットが最も奥まで挿入されたときリール回り止め片３７ａ，３７ｂがリールハブ孔３２ａ，３２ｂと対応することになり、これによって、リール回り止め片３７ａ，３７ｂが弾性復帰して立ち上がりリールハブ孔３２ａ，３２ｂ内に係合することでリールの回り止めが行える。
【００１１】
また、カセット収納ケース内へのコンパクトカセット３０の収納状態においては、底面板３６ａ及び上面板３６ｂから突出形成された受けガイド３８ａ，３８ｂ及び３９ａ，３９ｂでカセット３０の膨出部３３以外の上下面が保持されることで、図１６に示すように収納ケース内でコインパクトカセット３０がガタ付くことなく安定して収納できる。
【００１２】
さらに、コンパクトカセット３０の収納状態においては、図１５に示すように膨出部３３の側端部がストッパ片４０ａ，４１ａに係合されることで、収納ケースからコンパクトカセット３０の抜け出しが防止されている。
【００１３】
上述したカセット収納ケースはコンパクトカセット３０を左右反転させた状態でも上述の場合と同様に挿入させ収納することができるが、この場合はコンパクトカセット３０の膨出部３３の側端部が他方のストッパ片４０ｂ，４１ｂに係合されされ抜け出しが防止されることになる。
【００１４】
また、カセット収納ケース内からコンパクトカセット３０を取り出すときにもリール回り止め片３７ａ，３７ｂが弾性変形して押し倒されてリールハブ孔３２ａ，３２ｂから抜け出し、カセットの取り出し後はリール回り止め片３７ａ，３７ｂは弾性復帰して再び立ち上がる。
【００１５】
【発明が解決しようとする課題】
ところで、一般にプラスチック材による射出成形品は、肉厚が厚い成形部分や肉厚が急激に変化するような成形品の場合にいわゆる「肉ヒケ」現象が生じると、これに伴って成形品自体に反りによる外観上の変形が生じたり寸法的に不都合が生じる。例えば、図１３においてカセット収納ケースの底面板３６ａ及び上面板３６ｂには肉厚状の受けガイド３８ａ，３８ｂ及び３９ａ，３９ｂとなっているため、この肉厚部における「肉ヒケ」現象が発生し底面板３６ａ及び上面板３６ｂに反りによる外観上の変形や寸法的にくるいが生じる原因となる。
【００１６】
また、肉厚部分の面積が多いほどプラスチック原材料の使用量が増加し成形品のコストアップの要因となる。
【００１７】
一方、肉ヒケ現象を少なくするために成形品を肉薄状に成形すると、成形品自体が外圧に対して撓みやすく、最悪の場合に成形品にクラックが発生したり割れてしまうことがある。
【００１８】
本発明は、上述したような課題を解消するためになされたもので、成形品に肉ヒケの発生を少なくして変形や寸法のくるいを回避し、かつ成形品の外力に対する撓みを防止し商品価値を高めることのできるカセット収納ケースを得ることを目的とする。
【００１９】
【課題を解決するための手段】
上述の目的を達成するため、本発明によるカセット収納ケースは、
収納ケースがカセット筐体の一側部に台形状の膨出部を有するテープカセット用の収納ケースであって、下ハーフと上ハーフとで合体式に構成されるケースの一側面にカセット挿入口を有し、カセット挿入口の一側部でカセット挿入口から奥行き方向にテープカセットの膨出部が挿入される凹面状のガイド溝が下ハーフと上ハーフの内面に形成され、上ハーフ上面にカセット取り出しのための指挿入用開口部を設け、下ハーフ底面にカセットのリールハブ孔と係合される一対のリール回り止め片を有するリール回り止め部材が取り付けられるカセット収納ケースにおいて、
下ハーフ及び上ハーフはそのハーフ面を少なくともガイド溝以外の奥行き方向からカセット挿入口に亘ってフレーム状の肉厚部とし、この肉厚部以外のハーフ面部分を肉薄部に形成し、上ハーフの指挿入用開口部が肉薄部に形成され、指挿入用開口部の裏面側周囲に肉薄部の補強リブを形成し、下ハーフの肉薄部中央部分にリール回り止め部材の周囲を位置決めする奥行き方向に長い長円状の案内リブを一体形成し、且つ案内リブで囲まれる肉薄部上に複数のカシメピンを形成したことを特徴とするものである。
【００２０】
また、上ハーフのフレーム状の肉厚部は、肉厚部の奥行き長さを短い肉厚部に形成したものである。
【００２１】
【発明の実施の形態】
以下、本発明によるカセット収納ケースの実施例をオーディオ用のコンパクトカセットの収納ケースについて図面を参照して説明する。
【００２２】
図１はカセット収納ケースの要部を分離した斜視図、図２は上ハーフを裏面より見た斜視図、図３はカセット収納ケースの組み立て状態の拡大縦断面図、図４は同じく拡大横断面図である。
【００２３】
カセット収納ケースは合体式の下ハーフ１と上ハーフ２から構成され、下ケース１は例えばＨＩＰＳ（高衝撃性ポリスチレン）のプラスチック成形品からなり、上ハーフ２は例えばＧＰＰＳ（一般用ポリスチレン）のプラスチック成形品からなる。
【００２４】
下ハーフ１と上ハーフ２の一側部は半割状のカセット挿入口３ａ，３ｂが形成され、図３に示した合体された両ハーフ１，２により形成されるカセット挿入口３から図１４に示したコンパクトカセット３０が長手方向にスライド式に出し入れされる。このため、上，下ハーフ１，２にはカセット挿入口３ａ，３ｂから奥行き方向にコンパクトカセット３０の膨出部３３が案内されるガイド溝８ａ，８ｂを有している。
【００２５】
ここで、下ハーフ１及び上ハーフ２の構成を図１及び図２についてさらに詳しく説明する。
【００２６】
まず、下ハーフ１について説明すると、下ハーフ１はガイド溝８ａ以外の底面では、当該ガイド溝８ａ側の奥行き方向からカセット挿入口３ａ側及び側壁面１ｄの奥行き方向に亘って全体がコ字形状の肉厚部１ａに形成され、この肉厚部１ａで囲まれた底面部分は肉薄部１ｂに形成していわゆる肉盗みされている。一例として肉厚部１ａは厚み２．５ｍｍ、肉薄部１ｂは厚み１．６ｍｍであり、この場合、上述したガイド溝８ａの厚みは０．８ｍｍである。また、肉薄部１ｂは下ハーフ１の壁面を構成する厚みとほぼ同一の厚みを有している。従って、下ハーフ１は全体としてやや薄肉状であるがコ字形状の肉厚部１ａによって補強されている。
【００２７】
上述した肉薄部１ｂからなる底面にはコンパクトカセット３０のリール回り止め部材９を位置決めするための奥行き方向に長い長円状の案内リブ１６が一体形成されている。この案内リブ１６は肉厚部１ａと同一平面以下の高さに形成され、案内リブ１６で囲まれる肉薄部１ｂ上に複数のカシメピン１７が形成されている。
【００２８】
リール回り止め部材９は例えばＰＰ（ポリプロピレン）のプラスチック成形品からなり、図１に示すように複数のカシメ固定孔１０ａを有するベース板１０と、このベース板１０から一体に立設した弾性作用により起伏可能の一対のリール回り止め片１１，１１から構成されている。このリール回り止め片１１，１１の間隔はコンパクトカセット３０のリールハブ孔３２ａ，３２ｂの間隔に対応している。
【００２９】
また、下ハーフ１にはカセット挿入口３ａとは反対側で、下ハーフ１の奥壁面１ｃの両コーナー部分に上ハーフ２が合体される際の位置決め片１５ａ，１５ｂが当該下ハーフ１の上縁より上方へ突出するように一体成形され、かつ位置決め片１５ａ，１５ｂの先端部外側にテーパー面が形成されている。そして、この位置決め片１５ａ，１５ｂは収納状態のコンパクトカセット３０の側端面の突き当て面も兼ねており、このため、コンパクトカセット３０の突き当て状態では図５に示すようにガイド突起３４が奥壁面１ｃに突き当たらないように位置決め片１５ａ，１５ｂの厚みを厚くしガイド突起３４を保護している。従って、ガイド突起３４が奥壁面１ｃに突き当らないように当該奥壁面１ｃの肉厚を薄くするような構成に比べて奥壁面１ｃの強度を向上することができる。
【００３０】
さらに、下ハーフ１の奥壁面１ｃ側で上述した他方の位置決め片１５ｂに片持ち状に固定された状態で側壁面１ｄとは平行にカセット抜け止め片１８が一体成形されている。そして、このカセット抜け止め片１８の先端部内面側に抜け止め凸部１９が形成されている。この抜け止め凸部１９の位置はケース内に収納されたときのコンパクトカセット３０の背面に設けられている誤消去防止爪２０（図７参照）と対応している。尚、符号２１は抜け止め片１８とほぼ平行な面で側壁面１ｄに沿って設けられているカセットガイド片である。
【００３１】
一方、上ハーフ２には指挿入用開口部２２が形成されている。この指挿入用開口部２２は上述した下ハーフ１の底面に形成した案内リブ１６の上部に対応し、図６に示すように案内リブ１６の形状より大きく開口している。このため、指挿入用開口部２２からリール回り止め部材９を挿入することができる。
【００３２】
また、上ハーフ２は図２に示すようにガイド溝８ｂ以外のハーフ面では、当該ガイド溝８ｂ側の奥行き方向からカセット挿入口３ｂ及び側壁面の奥行き方向に亘って全体がコ字形状の肉厚部２ａに形成され、この肉厚部２ａで囲まれたハーフ面部分は肉薄部２ｂに形成していわゆる肉盗みされている。肉厚部２ａは一例として厚み２．５ｍｍ、肉薄部２ｂは厚み１．６ｍｍであり、この場合、上述したガイド溝８ｂの厚みは０．８ｍｍである。また、肉薄部２ｂは上ハーフ２の壁面を構成する厚みとほぼ同一の厚みを有している。このため、上ハーフ２は全体としてやや薄肉状であるがコ字形状の肉厚部２ａによって補強されている。さらに、上ハーフ２の指挿入用開口部２２の裏面周囲に補強リブ２３が形成されている。
【００３３】
さらに、上ハーフ２の奥壁面中央部に下ハーフ１と合体される際の位置決め片１５ｃが当該上ハーフ２の下縁より下方へ突出するように一体成形され、かつ位置決め片１５ｃの先端部外側にテーパー面が形成されている。
【００３４】
また、下ハーフ１のカセット挿入口３ａ側でガイド溝８ａ以外の肉厚部１ａ部分に傾斜面２４が形成され、同様に上ハーフ２のカセット挿入口３ｂ側でガイド溝８ｂ以外の肉厚部２ａに傾斜面２５が形成されている。従って、上下ハーフ１，２を合体し一体化した収納ケースは図３に示すようにカセット挿入口３の上下開口部が傾斜面２４，２５によって広く開口された状態となる。
【００３５】
このように構成した本発明のカセット収納ケースの組み立ては、下ハーフ１の２つの位置決め片１５ａ，１５ｂと上ハーフ２の１つの位置決め片１５ｃとを利用して両ハーフ１，２を奥壁面側から合体することで、両ハーフ１，２の縁部が位置決め片１５ａ，１５ｂ及び１５ｃの先端部のテーパー面で呼び込まれ正確な位置に合体することができる。この両ハーフ１，２の合体状態では、下ハーフ１の位置決め片１５ａ，１５ｂと上ハーフ２の位置決め片１５ｃとにより両ハーフ１，２が係合し合い、このため、合体状態のまま次の工程へ搬送する場合であっても両ハーフ１，２が位置ずれすることもない。
【００３６】
かくして、両ハーフ１，２の接合面は超音波溶着することで収納ケースが構成されるが、下ハーフ１の底面へのリール回り止め部材９の固定は、両ハーフを合体する前に下ハーフ１のカシメピン１７にリール回り止め部材９のベース板１０のカシメ固定孔１０ａを位置決めしカシメ固定する方法と、両ハーフ１，２を合体したあと上ハーフ２の指挿入用開口部２２からリール回り止め部材９を挿入しベース板１０のカシメ固定孔１０ａをカシメピン１７にカシメ固定する方法とのいずれの場合であってもよい。
【００３７】
このように構成された本発明によるカセット収納ケースは、コンパクトカセット３０をその台形状の膨出部３３をガイド溝８ａ，８ｂ側に対応してカセット挿入口３から挿入すると、リール回り止め部材９のリール回り止め片１１，１１がカセットの挿入によって弾性変形して押し倒されるが、カセットが最も奥まで挿入されたときリール回り止め片１１，１１がカセットのリールハブ孔３２ａ，３２ｂと対応することになり、これによって、リール回り止め片１１，１１が弾性復帰して立ち上がりリールハブ孔３２ａ，３２ｂ内に係合することでリールの回り止めが図れる。
【００３８】
上述したリール回り止め片１１はそれ自体が弾性変形で撓むようにされているが、図８に示すようにリール回り止め片１１が立設されている部分のベース板１０にコ字状のスリット２６を形成することで、リール回り止め片１１の弾性変形作用と共にベース板１０の一部も撓ませることができるようになり、これによって、リール回り止め片１１に加わる過度の変形を回避し、繰り返しの変形に対してもリール回り止め片１１の破損を防止することきができる。
【００３９】
また、コンパクトカセット３０の挿入時はカセットの背面３０ａがカセットガイド片２１にガイドされて挿入されるが、カセットの収納直前においてカセット背面３０ａが抜け止め凸部１９と接触することでカセット抜け止め片１８が弾性変形して後退し、その後、カセットの収納状態において図７に示すように抜け止め凸部１９にカセットの誤消去防止爪２０の前面の一段低くなっている凹み部２０ａを係止させることができ、これによって、コンパクトカセット３０は収納状態において強く保持され、ケースに振動や衝撃が生じてもカセットの抜け出しを防止することができる。
【００４０】
さらに、カセット挿入口３からコンパクトカセット３０を挿入する際、カセット挿入口３に対して上下方向に多少傾いた姿勢で挿入されたとしても、カセット挿入側端部が傾斜面２４，２５によって挿入口３内に呼び込まれカセットは自然に水平な姿勢状態となってスムーズに挿入することができる。これによって、カセット挿入時に収納ケースに無理な外力が生じることもなく収納ケースの破損を防止することができ、また、カセット側の損傷を防止することができる。
【００４１】
さて、ここで本発明によるカセット収納ケースの最も特徴とする部分について説明する。
【００４２】
すなわち、下ハーフ１については図１にその特徴部分が示され、上ハーフ２については図２にその特徴部分が示されているように、下ハーフ１及び上ハーフ２は前述したように全体として肉薄状に成形されていることである。
【００４３】
例えば、下ハーフ１の場合では、その底部を構成する面積の広い部分が肉薄状のガイド溝８ａとこれよりやや肉があるが肉盗みされた肉薄部１ｂからなるため、肉厚の変化がなくなってほぼ均一されるようになり、よって下ハーフ１の射出成形時に金型キャビティー内への樹脂の流れがよくなり肉ヒケの発生を殆どなくすことができる。また、下ハーフ１のガイド溝８ａ以外の底部にはその奥行き方向からカセット挿入口３ａに亘ってコ字形状の肉厚部１ａを設けたことで、下ハーフ１全体の強度を補強することができる。特にカセット挿入口３ａの部分を肉厚部１ａで補強したことで、カセット挿入口部分の強度を高め挿入口の形状を保形することができる。尚、肉厚部１ａは幅の狭いフレーム状であるため、肉厚部１ａの部分に肉ヒケが殆ど生じることはない。
【００４４】
また、肉薄部１ｂからなる下ハーフ１の底部中央部にはリール回り止め部材９の案内リブ１６が成形されていることで、この案内リブ１６が肉薄部１ｂの補強を兼ねることができ、下ハーフ底面が外力によって撓むようなことが解消できる。
【００４５】
一方、上ハーフ２の場合も、その底部を構成する面積の広い部分が肉薄状のガイド溝８ｂとこれよりやや肉があるが肉盗みされた肉薄部２ｂからなるため、肉厚の変化がなくなってほぼ均一されるようになり、上ハーフ２の射出成形時に金型キャビティー内への樹脂の流れがよくなり肉ヒケの発生を殆どなくすことができる。また、上ハーフ２のガイド溝８ｂ以外の底部にはその奥行き方向からカセット挿入口３ｂに亘ってコ字形状の肉厚部２ａを設けたことで、上ハーフ２全体の強度を補強することができる。さらにカセット挿入口３ｂの部分を肉厚部２ａで補強したことで、カセット挿入口部分の強度を高め挿入口の形状を保形することができる。
【００４６】
また、上ハーフ２の上面の指挿入用開口部２２は肉薄部２ｂに形成されるが、この指挿入用開口部２２の裏面周囲に補強リブ２３を形成したことで、指挿入用開口部２２の補強と共に、上ハーフ２上面が外力によって撓むようなことが解消できる。
【００４７】
このように本発明のカセット収納ケースは、上下ハーフの成形時の肉ヒケの発生が防止でき、これによって、形状の変形や寸法のくるいを回避することができ、しかも、収納ケースが外力に対して撓みにくくすることができるといった利点がある。
【００４８】
また、収納ケースの肉薄化が可能となったことで、プラスチック原材料の使用量が少なくてすみ成形品のコストダウン化を図ることができる。
【００４９】
尚、下ハーフ１と上ハーフ２の肉厚部１ａ，２ａは、実施例ではガイド溝８ａ，８ｂ側の奥行き方向からカセット挿入口３ａ，３ｂ及びハーフ側壁面の奥行き方向に亘ってコ字状に設けた場合について説明したが、ガイド溝８ａ，８ｂ側の奥行き方向からカセット挿入口３ａ，３ｂ、あるいはハーフ側壁面の奥行き方向からカセット挿入口に亘ってＬ字状に形成するようにしてもよい。
【００５０】
ところで、上述したカセット収納ケースは図９に示すようにコンパクトカセット３０がカセット挿入口３から挿入されたとき、リール回り止め部材９のリール回り止め片１１が弾性変形して押し倒されるが、この際、コンパクトカセット３０はリール回り止め片１１の弾性復帰力により上ハーフ２側へ押し上げられながら挿入される。このとき、コンパクトカセット３０は膨出部３３とは反対側のカセット上面がカセットのガタ付きを防止するための作用を兼ねている図１０に斜線で示したケース側面側の肉厚部２ａに摩擦することになる。特にこの摩擦はコンパクトカセット３０の先端部のエッジ部分が肉厚部２ａに擦られて多く発生する。そして、この摩擦作用はコンパクトカセットの出し入れの度に発生し、これが双方に擦れ傷と共に擦れ粉が発生し機能上及び製品性を損なうといった問題がある。
【００５１】
また、上述した側面側の肉厚部２ａは図１０に示したようにガイド溝８ｂ側の肉厚部２ａより幅があり、しかも、肉薄部２ｂと厚みの差が存在することから、上ハーフ２の射出成形時に双方の境界部分に肉ヒケが発生し、特に上ハーフ成形時に樹脂を供給するゲートが肉厚部２ａのケース外側に位置する場合では、図１０の破線で示したゲートＧ付近の肉厚部２ａ及びケース部分に大きな肉ヒケが発生し、この肉ヒケ部が成形品の表面から容易に確認できることから製品価値が損なわれるといった問題もある。
【００５２】
そこで、コンパクトカセットの出し入れに伴う擦れ傷及び擦れ粉の発生を回避し、また肉厚部及びケース部分における肉ヒケが生じることのないカセット収納ケースの上ハーフ２を図１１に示す。
【００５３】
この上ハーフ２は図１０に示した上ハーフのフレーム状の肉厚部２ａを、ガイド溝８ｂとは対向側の肉厚部２ａの奥行き長さをカセット挿入口から奥行き方向に短い肉厚部２ａ′に形成し、それ以外は肉薄部２ｂと同様の厚さに形成したものである。詳しくは、短い肉厚部２ａ′の奥行き側の端部は図３に示したカセット収納ケースの断面図において下ハーフ１の底面にカシメ固定したリール回り止め部材のカセット挿入口３側に近いリール回り止め片１１と平行する位置にほぼ達する長さにされている。
【００５４】
また、上述した短い肉厚部２ａ′の延長上である上ハーフ２の最奥部に傾斜面２７ａを有する短いカセット受け部２７が形成されている。このカセット受け部２７の肉厚は肉厚部２ａ′と同じ肉厚にされている。
【００５５】
このように構成したカセット収納ケースを上ハーフ２では肉厚部２ａ′から切断した断面図を図１２に示す。
【００５６】
カセット挿入口３からコンパクトカセット３０が挿入されると、台形状の膨出部３３がガイド溝８ａ，８ｂに案内されると共に、膨出部３３と反対側のカセット上下面が上下ハーフ１，２の肉厚部１ａ，２ａに案内される。そして、コンパクトカセット３０が入口側のリール回り止め片１１を弾性変形して押し倒し乗り上がると同時に、コンパクトカセット３０はリール回り止め片１１の弾性復帰力により上ハーフ２側へ押し上げられる。コンパクトカセット３０がリール回り止め片１１によって押し上げられた時点では、カセット先端部が短い肉厚部２ａを通過し肉薄部２ｂ側に移動しているので、カセット上面と上ハーフ２の内面との間に十分な空間ｄが生じ、カセット挿入時におけるカセット上面が上ハーフ２に摩擦することもなく、これによって、双方に擦れ傷や擦れ粉の発生を未然に防止することができる。上述した作用はカセット収納ケースにコンパクトカセット３０が出し入れされる度毎に同様に行われる。
【００５７】
そして、コンパクトカセット３０が収納ケース内に完全に収納される時点では、カセットの先端部が上ハーフ２の最奥部に設けた傾斜面２７ａを滑り、図１２の仮想線で示すようにカセット３０の上面がカセット受け部２７の面に接触するようになる。すなわち、収納状態のカセット３０は、台形状の膨出部３３とは反対側のカセット部分では、カセット下面では下ハーフ１の肉厚部１ａでガイドされ、カセット上面では上ハーフ２の短い肉厚部２ａ′とカセット受け部２７とでガイドされているため、収納ケース内でカセットが上下方向にガタ付くこともなく安定して収納することができる。
【００５８】
一方、上ハーフ２において図１１に示したようにカセット挿入口３側から奥行き方向に短い肉厚部２ａ′とし、それ以外の部分を肉薄部２ｂと同様な厚みにしたことにより、上ハーフ２の成形時に肉厚部２ａ′と肉薄部２ｂとの境界部分での肉ヒケを防止することができる。これは肉厚部２ａ′が短く樹脂量が少ないことと、樹脂が供給されるゲートＧから離れていることで肉厚部２ａ′の部分が均一に冷えることがあげられる。尚、図１１に示した実施例において肉厚状のカセット受け部２７側のケース外面にゲートＧを有する場合では、カセット受け部２７の樹脂量が少ないためゲートＧ付近におけるケース部分の肉ヒケの発生を防止することができる。
【００５９】
上述したようなカセット収納ケースによれば、カセット出し入れ時の摩擦による擦れ傷や擦れ粉の発生を未然に防止することができると共に、収納状態のカセットのガタ付きもなく安定して収納することができることになる。また、上ハーフ成形時の肉厚部の肉ヒケも発生することもなく、カセット収納ケースの機能及び品質を向上することができるといった利点がある。
【００６０】
尚、本発明のカセット収納ケースでは、カセット受け部２７は必ずしも必要とするものでなく、カセット挿入口３側から奥行き方向に短い肉厚部２ａ′のみを形成しただけであってもカセット収納ケースの機能及び品質を十分に得ることができる。
【００６１】
本発明は、上述しかつ図面に示した実施例に限定されるものでなく、その要旨を逸脱しない範囲内で種々の変形実施が可能である。
【００６２】
実施例ではオーディオ用のコンパクトカセットがスライド式に出し入れされるカセット収納ケースに適用した場合について説明したが、その他、８ミリ用ビデオカセットやデジタル・ビデオ・カセット（ＤＶＣ）等がスライド式に出し入れされるカセット収納ケースにも広く適用可能である。この場合にはケースの内面側にはコンパクトカセットの台形状の膨出部が案内される案内ガイドは不要となる。
【００６３】
【発明の効果】
以上説明したように本発明のカセット収納ケースは、下ハーフ及び上ハーフがそのハーフ面を少なくとも上記ガイド溝以外の奥行き方向から上記カセット挿入口に亘ってフレーム状の肉厚部とし、この肉厚部以外のハーフ面部分を肉薄部に形成したことによって、上下ハーフの成形時の肉ヒケの発生を防止し、形状の変形や寸法のくるいを回避することができ、しかも、収納ケースが外力に対して撓みにくくすることができるといった効果がある。また、収納ケースの肉薄化が可能となったことで、プラスチック原材料の使用量が少なくてすみ成形品のコストダウン化を図ることができる。
また本発明のカセット収納ケースでは、上ハーフの上面の指挿入用開口部は肉薄部に形成されるが、この指挿入用開口部の裏面周囲に補強リブを形成したことで、指挿入用開口部の補強と共に、上ハーフの上面が外力によって撓むようなことが解消される。
さらに本発明のカセット収納ケースでは、肉薄部からなる下ハーフの底部中央部にリール回り止め部材を位置決めする案内リブが成形されていることで、この案内リブが肉薄部の補強を兼ねることができ、下ハーフの底面が外力によって撓むようなことが解消される。
【００６４】
また、上ハーフのフレーム状の肉厚部が、ガイド溝と対向側の肉厚部の奥行き長さをカセット挿入口側のリール回り止め片と平行する位置にほぼ達する短い肉厚部に形成したことによって、カセットの収納及び取出し時におけるカセットと肉厚部との摩擦による擦れ傷及び擦れ粉の発生を回避することができると共に、上ハーフ成形時の肉厚部の肉ヒケを防止することができカセット収納ケースの機能の向上及び品質を高めることができる効果がある。
【図面の簡単な説明】
【図１】本発明によるカセット収納ケースの分離状態の斜視図である。
【図２】上ハーフを裏面より見た斜視図である。
【図３】カセット収納ケースの拡大縦断面図である。
【図４】同じくカセット収納ケースの拡大横断面図である。
【図５】位置決め片とガイド突起との関係の要部拡大図である。
【図６】カセット収納ケースの平面図である。
【図７】カセット収納状態の一部を破断して示したカセット収納ケースの平面図である。
【図８】リール回り止め部材の別の例の斜視図である。
【図９】カセット収納ケースへのカセット収納時の問題点の断面図である。
【図１０】同じく上ハーフを裏面より見た斜視図である。
【図１１】改良された上ハーフを裏面より見た斜視図である。
【図１２】改良されたカセット収納ケースへのカセット収納時の断面図である。
【図１３】従来のカセット収納ケースの破断斜視図である。
【図１４】コンパクトカセットの斜視図である。
【図１５】図９のカセット収納ケースとコンパクトカセットの関係の平面図である。
【図１６】同じくカセット収納状態をカセット挿入口側から見た正面図である。
【符号の説明】
１  下ハーフ、１ａ  肉厚部、１ｂ  肉薄部、２  上ハーフ、２ａ  肉厚部、２ａ′  短い肉厚部、２ｂ  肉薄部、３  カセット挿入口、９  リール回り止め部材、１１  リール回り止め片、１５ａ，１５ｂ  位置決め片、１６  案内リブ、１８  カセット抜け止め片、２２  指挿入用開口部、２３  補強リブ、２４，２５  傾斜面、２７  カセット受け部、３０  コンパクトカセット
【図１】
0003867333.tif 000002
【図２】
0003867333.tif 000003
【図３】
0003867333.tif 000004
【図４】
0003867333.tif 000005
【図５】
0003867333.tif 000006
【図６】
0003867333.tif 000007
【図７】
0003867333.tif 000008
【図８】
0003867333.tif 000009
【図９】
0003867333.tif 000010
【図１０】
0003867333.tif 000011
【図１１】
0003867333.tif 000012
【図１２】
0003867333.tif 000013
【図１３】
0003867333.tif 000014
【図１４】
0003867333.tif 000015
【図１５】
0003867333.tif 000016
【図１６】
0003867333.tif 000017